(57)【特許請求の範囲】
【請求項１】
傾斜した屋根において、
矩形状の太陽電池パネルと、
該太陽電池パネルの少なくとも一対の互いに対向する端部に取着されるとともに、一部が前記太陽電池パネルの外側に張り出した板状突出部を有するカバー部材と、
前記板状突出部が載置されるとともに、一部が前記太陽電池パネルの外側に張り出した突起部を有する架台と、
前記板状突出部と前記突起部とを併せて挟持する挟持部材と、を備えた太陽光発電装置であって、
前記カバー部材は、前記太陽電池パネルの棟側端部に配置される第１のカバー部材と、前記太陽電池パネルの軒側端部に配置される第２のカバー部材とを有し、
前記第１のカバー部材を前記板状突出部を有するカバー部材とし、
前記架台は前記第２のカバー部材と係止するための凸部を有し、
前記第２のカバー部材は前記凸部を嵌め込むための凹状係止部を有している太陽光発電装置。
【請求項２】
前記第２のカバー部材の凹状係止部と前記架台の前記凸部との係止方向は、前記屋根面に略平行になっている請求項１に記載の太陽光発電装置。
【請求項３】
前記架台の前記凸部の屋根側の部分に面取り部を有する請求項１または２に記載の太陽光発電装置。
【発明の詳細な説明】
【技術分野】
【０００１】
本発明は、傾斜した屋根上に設けた架台に太陽電池モジュールを固定した太陽光発電装置に関するものである。
【背景技術】
【０００２】
近年、地球環境問題に対する関心の高まりに伴い、自然エネルギーを利用した新エネルギーシステムの技術開発が進んでいる。そのなかで、太陽光を利用した太陽光利用機器は最も注目されており、現在急速に世の中に普及しつつある。
【０００３】
太陽光利用機器の一例としては、太陽光を電気エネルギーに変換する太陽電池素子を複数接続した太陽電池モジュールがあり、前記太陽電池モジュールを複数、設置して太陽電池アレイとした太陽光発電装置が住宅等の屋根上に設置されている。
【０００４】
また、その屋根への取り付け方法は様々であり、屋根部材と一体的に製造された屋根一体型太陽電池モジュールや、地上やビルの屋上など水平な設置面に鋼材やアルミニウム材などで構成された架台と呼ばれる台座を介して太陽電池モジュールを固定する陸屋根型の設置方法、さらには屋根上の瓦材の上に縦桟や横桟を用いて架台を組んで、そこに太陽電池モジュールを設置する、いわゆる屋根置き形と呼ばれる設置方法がある。
【０００５】
具体的には、陸屋根型の設置方法は屋根上にコンクリートなどの基礎を設け、その上にラック（桟）を用いて傾斜を有する架台を構成し、その上に太陽電池モジュールを配置するものである。また屋根置き型は屋根上に縦ラック（縦桟）（以降縦ラックと呼ぶ）を配し、この縦ラック上にその方向に対して直交するように横ラック（横桟）（以降横ラックと呼ぶ）を配置して架台として組み付け、横ラック上に太陽電池モジュールを配置していくもので、陸屋根型に比べ屋根との一体感が得やすい。
【０００６】
図１０に従来の太陽光発電装置に係る太陽電池モジュールの概略断面図を示す。
【０００７】
図１０に示すように、太陽電池モジュール１０１はたとえばシリコン等から成る半導体の光電交換効果を利用して電力を発生させる太陽電池素子１０２を複数個直列および並列に電気的に接続し、所要の出力電圧や出力電流を得る。この太陽電池素子は単結晶や多結晶シリコンなどの結晶系太陽電池素子や、薄膜系太陽電池素子などにより構成される。このとき、太陽電池素子と太陽電池素子を直列接続するためには太陽電池素子１０２ａの＋極である裏面と、−極である太陽電池素子１０２ｂの表面を電気的に接続する必要があるので、太陽電池素子の間には電気的に接続する導電材１０３などを通すためのクリアランスが設けられる。
【０００８】
太陽電池素子の受光面にはガラス板や合成樹脂板などの光透過板１０４を配し、その裏面である非受光面にはテフロン（登録商標）フィルムやPVF（ポリフッ化ビニル）、PET（ポリエチレンテレフタレート）などの耐候性フィルム１０５を被着し、さらに光透過板１０４と耐候性フィルム１０５との間には、たとえばEVA（エチレン−酢酸ビニル共重合樹脂）などからなる透明な合成樹脂を介在し、封止材１０６となしている。
【０００９】
そして、太陽電池モジュール１０１の裏面、すなわち耐候性フィルムの上にはABS樹脂などの合成樹脂やアルミニウム金属などで構成したジャンクションボックス１０７を接着し、太陽電池モジュール１０１の出力電力を取り出すターミナルとなしている。
【００１０】
またこれら光透過板１０４、太陽電池素子１０２および耐候性フィルム１０５の重ね構造の矩形状の本体に対し、その各辺の周囲をアルミニウム金属やSUSなどからなるカバー部材１０８を挟み込むように装着し、太陽電池モジュール全体の剛性や強度を高めるとともに、カバー部材の取付用の穴をあけることを可能とし、架台の支持金具にボルトやネジで固定できるようにしている。
【００１１】
これらの太陽電池モジュールを屋根上に取付ける方法として、さまざまな方法が提案されている。たとえば、屋根置き型太陽光発電装置として図９のように横ラック１９と縦ラック２０を設置し、太陽電池モジュール１８を横ラック１９と挟持部材２１との間にはめ込み挟持固定する方法が一般的である。
【００１２】
ところで前記太陽電池モジュールとその設置方法においては、以下のような問題点があった。
【００１３】
前記太陽電池モジュールの設置方法では、太陽電池モジュールを横ラックの上に載置して、太陽電池モジュールの両端部のリブを複数のネジで横ラックに挟持部材で押さえつけて固定している。このため、例えば積雪時の正圧方向の積雪荷重は横ラックで支えられ、強風時に負圧方向の風圧力は挟持部材で支えられる。特に負圧方向の風圧力を挟持部材で支えられる際には、挟持部材を固定するネジの周囲に集中的に応力がかかり、挟持部材全体に分散荷重として加わらない。また、荷重が加わる方向が正圧方向と負圧方向で、荷重を支える部材が異なり、十分な強度を持たせるためには、それぞれの部材に十分な材料の厚さを与える必要がある。したがって、正圧方向と負圧方向で荷重を支持する部材が異なっているため、余分な材料が必要であるという問題があった。
【００１４】
さらに施工の際に挟持部材を取り付けるためには、太陽電池モジュールを置いた後で作業する必要がある。このため、太陽電池モジュールを乗り越える、あるいは太陽電池の上に乗って作業する必要がある。しかし、太陽電池モジュールの受光面はガラスが使用されており、該ガラス面が平坦であるため滑りやすく、作業者が滑って屋根から転落する危険があり、作業手順書に指示された命綱などの煩雑な管理が必要のため、作業時間が増加するという問題があった。
【００１５】
これらの問題を解決するために、参考文献１のように屋根上で棟に向かって太陽電池モジュールを差し込んでから軒に向かって引き下げ、棟側を固定のためを別部材で押さえる方法や参考文献２のように上方向に向かって太陽電池モジュールを架台の凹部に差し込んでから引き下げて、上側のガタツキをピンで固定する方法のように、「けんどん方式」（けんどん方式とは上下に上げ下げして取り外すことができる障子等に用いられる固定方法のこと）により、横架台に支持される太陽電池モジュールを備えて、屋根上に容易に設置できるような方法や、参考文献３のような、回動可能な嵌合部分を太陽電池モジュール枠に設けて、太陽電池モジュールどうしをピン構造で連結させる方法が提案されている。
【特許文献１】特開２００１−３２９６６４号公報
【特許文献２】実公平８−３０２３号公報
【特許文献３】特開２００５−２５６３７８号公報
【発明の開示】
【発明が解決しようとする課題】
【００１６】
しかしながら、参考文献１に示されるような従来品では、太陽電池を「けんどん方式」で設置後に設置した太陽電池モジュールの上に乗って棟側に挟持部材などの挟持部材を設置する必要があり、太陽電池モジュールの受光面の上に乗ってしまったときに滑る危険があった。また、メンテナンス時などの太陽電池モジュール取り外し時も同様に、軒側はネジを外して、棟側はカバーを取り外す必要があった。このため今後、結晶系太陽電池素子が薄型化していくにしたがって、作業者が太陽電池モジュールに乗ることによる、太陽電池受光面への集中荷重が太陽電池素子に亀裂を発生させて出力低下をまねく恐れがあるため、養生のための板やステップのようなものを敷く必要があり、作業が煩雑になるという問題があった。
【００１７】
また、従来の「けんどん方式」では棟側に向かって差し込んだものを軒方向にずらして、溝間に固定するという構造であったため、軒棟間で非発電部が占める面積が比較的大きくなり、太陽光発電装置の設置面積あたりの発電効率が小さくなるという問題があった。
【００１８】
また、従来の「けんどん方式」では、作業者が棟側を向いて棟側から太陽電池モジュールを挿入する作業を行うため、棟端近傍まで太陽電池モジュールを葺く場合には、作業者が屋根から転落するなどの危険があった。
【００１９】
更に、従来品の「けんどん方式」では正圧荷重に対しては、太陽電池モジュール底部を架台に設けられた嵌め合い溝底部で支持し、負圧荷重に対しては、太陽電池モジュールに設けられたリブ状部位を架台に設けられた嵌め合い溝上部で支持する構造であるため、各方向の応力に対しての支持部位が別々に存在して強度をたもつために、各支持部位がそれぞれ強い強度を持たなければならない欠点があった。
【００２０】
また、参考文献２では、正圧方向と負圧方向の荷重に一つの部材で支持する構造とはなっているが、太陽電池モジュールの上に乗って作業する必要があり、太陽電池モジュールの養生のために作業が煩雑になるという問題があった。
【００２１】
さらに参考文献３にあるような従来品では、回転構造をもった支持部材と太陽電池モジュールカバー部材をピン接合させることで、一方向からのアプローチで正負圧の荷重を支持できる構造をとっているが、施工時に嵌合する太陽電池モジュールカバー部材どうしの初期の位置あわせが困難であり、施工性が良くないという問題があった。
【００２２】
また、太陽電池モジュール支持部材、および太陽電池モジュールどうしが回転可能なピン接合で屋根面上に固定されているため、屋根面の凹凸がある場合は均一な平面に矯正できず、屋根面の凹凸がそのまま太陽電池アレイ面上に反映されてしまい、太陽光の反射方向が異なるため各太陽電池モジュールの色彩が異なって見えるために外観上の問題を有することが考えられる。
【００２３】
そこで本発明の目的は上記の問題点を解決し、太陽電池モジュール受光面上に施工時に乗らずに設置作業ができる構造の太陽光発電装置を提供することにある。
【課題を解決するための手段】
【００２４】
本発明の太陽光発電装置は、傾斜した屋根において、矩形状の太陽電池パネルと、該太陽電池パネルの少なくとも一対の互いに対向する端部に取着されるとともに、一部が前記太陽電池パネルの外側に張り出した板状突出部を有するカバー部材と、前記板状突出部が載置されるとともに、一部が前記太陽電池パネルの外側に張り出した突起部を有する架台と、前記板状突出部と前記突起部とを併せて挟持する挟持部材と、を備えた太陽光発電装置であって、前記カバー部材は、前記太陽電池パネルの棟側端部に配置される第１のカバ
ー部材と、前記太陽電池パネルの軒側端部に配置される第２のカバー部材とを有し、前記第１のカバー部材を前記板状突出部を有するカバー部材とし、前記架台は前記第２のカバー部材と係止するための凸部を有し、前記第２のカバー部材は前記凸部を嵌め込むための凹状係止部を有している。
【発明の効果】
【００３１】
本発明の太陽光発電装置によれば、矩形状の太陽電池パネル１と、該太陽電池パネル１の少なくとも一対の互いに対向する端部に取着されるとともに、一部が前記太陽電池パネルの外側に張り出した板状突出部３ａを有するカバー部材３と、前記板状突出部３ａが載置されるとともに、一部が前記太陽電池パネルの外側に張り出した突起部７ｇを有する架台７と、前記板状突出部３ａと前記突起部７ｇとを併せて挟持する挟持部材６と、を備えたことにより、太陽電池モジュールが受けた正の荷重と負の荷重の両方に対して架台にて荷重を受けるので、信頼性の高い太陽光発電装置を得ることができる。
【００３４】
また、前記太陽電池モジュールを前記架台と前記挟持部材とで簡単に挟持固定できる。
【００３５】
また、施工者は、太陽電池モジュールの上に乗らずに施工ができるため、高い施工効率と安全性を得ることができる。
【００３６】
また、より強固に太陽電池モジュールを架台に固定することができる。
【００３７】
さらに、前記一方のカバー部材が嵌合する際にスムーズに嵌合すると共に、クリアランスを小さくすることが出来るため、固定後の固定強度を高くすることが出来る。
【発明を実施するための最良の形態】
【００３８】
以下に添付図面を参照しながら本発明の実施形態について説明していく。
【００３９】
図１は本発明に係る太陽光発電装置の一例について屋根上に設置した状態を示す断面図である。
【００４０】
図１において、２５は太陽電池モジュール、７は架台（以降横ラックと呼ぶ）、６は挟持部材である。
【００４１】
太陽電池モジュール２５は、屋根棟側の太陽電池モジュールの第１のカバー部材３、屋根軒側の太陽電池モジュールの第２のカバー部材４、太陽電池パネル１より構成される。
【００４２】
また、図２は本発明に係る太陽光発電装置の一例における太陽電池モジュールのカバー部材、横ラック（架台）および挟持部材を示す要部拡大断面図である。
【００４３】
図２に示す本発明に係る太陽電池モジュール２５を横ラック（架台）７に取付けする部分の断面構造は、以下の構成より成る。
【００４４】
太陽電池モジュール２５のカバー部材構造においては、棟側方向１４においては、太陽電池パネル１を支持する太陽電池モジュール２５の第１のカバー部材３の受光面側８に設けられた板状突出部３ａを有し、軒側方向１３においては、太陽電池パネル１を支持する太陽電池モジュール２５の第２のカバー部材４の受光面側８に設けられた上フランジ４ａと太陽電池モジュール２５の非受光面側９に設けられた下フランジ４ｂを有する。
【００４５】
横ラック（架台）７の断面構造においては、太陽電池モジュール２５からみて棟側方向１４に太陽電池モジュール２５の第１のカバー部材３の板状突出部３ａを受ける受部３１を有し、軒側方向１３には太陽電池モジュール２５の第２のカバー部材４の上フランジ４ａおよびウェッブ４ｃが嵌合するための凹部７ｂを有し、更に第２のカバー部材４の上フランジ４ａの根元部を支持できるような突起部７ｈを有し、また第２のカバー部材４の下フランジ４ｂが収まるような凹部７ａを有する。凹部７ａと凹部７ｂによって横ラック（架台）７の凸部３２が形成される。
【００４６】
好ましい状態としては、横ラック（架台）７の凹部７ａ上面と太陽電池モジュール２５の第２のカバー部材４の下フランジ部４ｂの上面の隙間は平行を保ち１ｍｍ以内とする。
【００４７】
また、横ラック（架台）７の上面部には突起部７ｇおよび突起部７ｆが設けられており、挟持部材６の突起部６ａおよび突起部６ｂがそれぞれ嵌合できる構造となっている。
【００４８】
図３は本発明に係る太陽光発電装置における挟持部材の固定方法を示す模式図である。
【００４９】
図３において、横ラック（架台）７の突起部７ｇおよび突起部７ｆと、挟持部材６の突起部６ａおよび突起部６ｂを、太陽電池モジュール２５の受光面に対して傾斜させていることで、横ラック（架台）７に太陽電池モジュール２５の第１のカバー部材３の板状突出部３ａを挟持部材６で棟側上方からスライドさせて固定する場合に、スライドをストロークさせるためのデッドスペースを最小限に抑えることができる。さらに、太陽電池モジュール２５のカバー部材の板状突出部３ａと横ラック上面の突起部７gが挟持部材６により
挟持される。この構造にすることで面で接触することから応力が分散してかかり、従来はネジ固定によりネジ周囲に応力が集中することに合わせて材料厚さを設計していたものに比較して、挟持部材６の必要材料を少なく抑えることができる。
【００５０】
挟持部材６と横ラック（架台）７の突起部７ｇをそれぞれ傾斜させたことで、太陽電池モジュールが風などで負圧方向８の荷重を受けた場合には、挟持部材６は棟側方向１４に板状突出部３ａからの分力が働き、挟持部材６は抜けてしまう可能性があるため、ビス５のような楔機能を持つものを用いて、挟持部材６と横ラック（架台）７と太陽電池モジュールのカバー部材３を、連結してしまうことで、挟持部材６の抜け防止を担っている。
【００５１】
ビス５が挿通する箇所の横ラック７上面には、セルフビスによる逃げスペースのための空間１５が設けられている。もし空間１５が設けられていなかった場合は、セルフビスの締め付けトルクが高くなりすぎて、ネジ頭が切断されてしまう。空間１５を設けたことにより、ビス５を施工現場にてタッピングする際の反力トルクを軽減させる効果をもち、た
とえばインパクトドライバーなどによる締め付けでビス５の頭が切断されることを防ぐことができる。
【００５２】
図５は本発明に係る太陽電池モジュールを傾斜した屋根に設置する設置手順を示す模式図、図６は従来技術における太陽電池モジュールを傾斜した屋根に設置する設置手順を示す模式図である。
【００５３】
これらの図を用いて施工性の向上について説明を行う。
【００５４】
図６に示す従来技術における太陽電池モジュールを傾斜した屋根に設置する設置手順では、太陽電池モジュール２５を傾斜した屋根に設置した後に挟持部材６を取り付けるために太陽電池モジュール２５の上に乗らざるを得ない。太陽電池モジュール２５の受光面側は平滑なガラスで覆われており滑りやすく、より慎重な安全対策が必要であり、また太陽電池モジュール２５の受光面にのって作業を行う場合には養生が必要で施工性が良くなかった。
【００５５】
図５に示す本発明に係る太陽電池モジュールを傾斜した屋根に設置する設置手順では、作業者は背中を棟側（上側）に向けて、太陽電池モジュール２５を軒側（斜め下側）に向かって保持して嵌め込めば良い構造としている。背中を棟側（上側）に向けて作業することで作業者は屋根上でバランスが取りやすく作業性がよい。また重力に従って軒側（斜め下側）に向けて太陽電池モジュールを保持すればよく、さらに挟持部材６の取り付けは図５に示す場合と異なり、太陽電池モジュールの上に乗るなどして作業を行う必要がなく、太陽電池モジュールのガラス面に比較して摩擦係数が高く、滑りにくい瓦上で行うことができる。これらの理由により作業性が良くなる効果が得られる。
【００５６】
図４は本発明に係る太陽電池モジュールを傾斜した屋根上の軒側の枠（第２のカバー部材）の横ラック（架台）への嵌合の手順を示す概略図である。
【００５７】
図４を用いて、図５に示す設置を行うための、設置時のカバー部材の嵌合構造について説明を行う。
【００５８】
太陽電池モジュールの第２のカバー部材４の上フランジ４ａと下フランジ４ｂと垂直ウェブ部４ｄで構成される略コの字型の凹状係止部１７に、横ラック（架台）７の棟側上面部付近（横ラック棟側上面突起７ｈ）を入れ込んで、前述凹状係止部１７の内壁に接触させる。その後は接触部分を中心にして太陽電池モジュールの棟側を屋根面方向に倒していくことで、上フランジ４ａの先端部が自動的に横ラック（架台）７の溝部７ｂまで誘導され、今度は上フランジ４ａの先端部を回転中心に太陽電池モジュールを屋根面方向に回転させる。
【００５９】
そして上フランジ４ａの途中に設けられた突起部４ｃの先端部が横ラック（架台）７の棟側上面の溝部７ｂに接触し、今度は突起部４ｃの先端部が回転中心となって太陽電池モジュールを回転させる。
【００６０】
このとき、太陽電池モジュール第２のカバー部材４の下フランジ４ｂの先端部は、横ラック（架台）７の棟側面に設けられた凹部７ａ上面よりも屋根面に近い位置まで下がっており、これは作製誤差などで下フランジ４ｂの上面と凹部７ａ上面の隙間がゼロの場合であっても、同様の位置関係をとる。
【００６１】
第２のカバー部材４の上フランジ４ａの途中にある突起部４ｃの先端部を中心に回転を始めてからは、前述の下フランジ４ｂの先端部は、凹部７ａの上面に近づくように、太陽電池モジュールと横ラック（架台）７が嵌合されていくのでかみこんでうまく嵌合しないという状況は起きない。
【００６２】
第２のカバー部材４の突起部４ｃは、たとえば暴風時の負圧荷重や積雪による正圧荷重で太陽電池モジュールがたわみ、横ラック（架台）７どうしの距離が定位置よりも大きくなろうとする力が加わった場合に、第２のカバー部材４の突起部４ｃと横ラック（架台）７の突起部７ｈが干渉してストッパーの役割を果たして、太陽電池モジュールの脱落・飛散防止になっている。
【００６３】
さらに太陽電池モジュールの第２のカバー部材４を取り付けた後には、太陽電池モジュールの棟側は図３（ａ）に示す状態となっている。このため、図３（ｂ）のように挟持部材６を取り付ければよく、挟持部材６を取り付けるために、太陽電池モジュールをまたぐ必要はない。
【００６４】
図７は複数の太陽電池モジュールを傾斜した屋根に設置するときに横ラック（架台）を連結した実施例を示す斜視図、図８は複数の太陽電池モジュールを傾斜した屋根に設置したときのアースを取る実施例を示す断面図である。
【００６５】
図７と図８を用いて本発明の他の太陽電池モジュール設置例について説明する。
【００６６】
図７（ａ）、（ｂ）、（ｃ）は太陽電池モジュールの設置構造のうち、横ラック（架台）７を左右に連結して設置し、太陽電池モジュール２５を載置して固定する様子を示す図である。
【００６７】
図７（ｃ）に示すように太陽電池モジュールと架台よりなる太陽光発電装置は、電気設備技術基準により全ての太陽電池モジュールは接地することが定められている。このとき、各太陽電池モジュールにアース線を取り付けて接地しても良いが、多くの材料がかかる上に、作業が煩雑となり工数が増える。そこで太陽光発電装置を電気的に一体として1本のアース線２６で設置することが求められる。
【００６８】
そのとき、図８（ａ）に示すように、太陽電池モジュールの第２のカバー部材４と横ラック（架台）７は金属性のビス５により貫通して固定されることで電気的に一体となっている。しかし、太陽電池モジュールの棟側の第１のカバー部材３と横ラック（架台）７は電気的には別体であるため、導通をとり電気的に一体とすることが求められる。なお、横ラック（架台）７の左右方向の連結は連結具２２が横ラック７の内側に嵌合し、ビス２４で固定されることにより行われており、同時に電気的にも一体となっている。ここで図８（ｂ）に示すように金属性のビス２４の座金２７に金属製の突起を持たせることで、太陽電池モジュールの取付け時に第２のカバー部材４の側面の塗装皮膜を破り、電気的導通をもたせることを可能とする。
【００６９】
これにより太陽光発電装置を電気的に一体として、アース線２６を1本とりつけることで簡単に接地することを可能とする。
【００７０】
なお、前述の太陽電池モジュールの設置の実施例では軒棟方向１３で太陽電池モジュールと横ラック（架台）７と挟持部材６を嵌合する様子を示したが、左右方向に設置する場合でも適用可能である。
【００７１】
また、太陽電池パネル１に第１のカバー部材３、第２のカバー部材４を取り付けた太陽電池モジュールについて述べたが、第１のカバー部材３、第２のカバー部材４が取り付けられていない太陽電池パネル１のみのものでもよい。
【００７２】
さらに、太陽電池モジュールは結晶系の素子を用いた場合で説明を行ったが、これに限るものでなく、その他の太陽電池素子を用いた場合でも適用可能である。
【図面の簡単な説明】
【００７３】
【図１】本発明に係る太陽光発電装置の一例を屋根上に設置した状態を示す断面図である。
【図２】本発明に係る太陽光発電装置の一例における太陽電池モジュールのカバー部材、横ラック（架台）および挟持部材を示す要部拡大断面図である。
【図３】本発明に係る太陽光発電装置における挟持部材の固定方法を示す模式図である。（ａ）は挟持部材が横ラック（架台）に取り付けされる寸前の状態を示し、（ｂ）は挟持部材が横ラックに取り付けされた後の状態を示す。
【図４】本発明に係る太陽電池モジュールを傾斜した屋根上の軒側の枠（第２のカバー部材）の横ラック（架台）への嵌合の手順を示す概略図である。
【図５】本発明に係る太陽電池モジュールを傾斜した屋根に設置する設置手順を示す模式図である。
【図６】従来技術における太陽電池モジュールを傾斜した屋根に設置する設置手順を示す模式図である。
【図７】複数の太陽電池モジュールを傾斜した屋根に設置するときに横ラック（架台）を連結した実施例を示す斜視図である。（ａ）は横ラック（架台）と連結具を示し、（ｂ）は傾斜した屋根に横ラック（架台）を設置し、連結した状態を示し、（ｃ）は太陽電池モジュールを連結した横ラック（架台）に設置するときの模式図を示す。
【図８】複数の太陽電池モジュールを傾斜した屋根に設置したときのアースを取る実施例を示す断面図である。（ａ）太陽電池モジュール軒側の枠（第２のカバー部材）と横ラック（架台）の導通をとる前の様子を示し、（ｂ）太陽電池モジュール軒側の枠（第２のカバー部材）と横ラック（架台）の導通をとった後の様子を示す。
【図９】従来の太陽電池モジュールの設置形態を示す斜視図である。
【図１０】太陽電池モジュールの構造を示す断面図である。
【符号の説明】
【００７７】
１：太陽電池パネル
２：発電部裏面
３：太陽電池モジュール棟側の枠（第１のカバー部材）
３ａ：太陽電池モジュール棟側の枠の上フランジ（板状突出部）
４：太陽電池モジュール軒側の枠（第２のカバー部材）
４ａ：太陽電池モジュール軒側の枠の上フランジ
４ｂ：太陽電池モジュール軒側の枠の下フランジ
４ｃ：太陽電池モジュール軒側の枠の上フランジの突起部（ウエッブ）
４ｄ：太陽電池モジュール軒側の枠の垂直ウェブ部
５：セルフビス（ビス）
６：挟持部材
６ａ：挟持部材の突起部
６ｂ：挟持部材の突起部
７：横ラック（架台）
７ａ：横ラック棟側の凹部
７ｂ：横ラック上面棟側の凹部（溝部）
７ｃ：横ラック棟側面の凹部
７ｄ：横ラックの固定金具引っ掛け部
７ｅ：横ラックビスホール
７ｆ：横ラック上面の突起部
７ｇ：横ラック上面の突起部
７ｈ：横ラック棟側の上面の突起部
８：受光面方向（受光面側、負圧方向）
９：非受光面方向（非受光面側、正圧方向）
１０：横ラック固定金具
１１：ボルト
１２：縦ラック
１３：軒側方向
１４：棟側方向
１５：横ラック上面軒側の凹部（空間１５）
１６：挟持部材スライド用デッドスペース
１７：太陽電池モジュール軒側の枠（第２のカバー部材）の略コの字空間（凹状係止部）１８：太陽電池モジュール
１９：横ラック
２０：縦ラック
２１：挟持部材
２２：連結具
２３：屋根固定金具
２４：セルフビス
２５：太陽電池モジュール
２６：アース線
２７：座金
【図１】
0005273909.tif 000002
【図２】
0005273909.tif 000003
【図３】
0005273909.tif 000004
【図４】
0005273909.tif 000005
【図５】
0005273909.tif 000006
【図６】
0005273909.tif 000007
【図７】
0005273909.tif 000008
【図８】
0005273909.tif 000009
【図９】
0005273909.tif 000010
【図１０】
0005273909.tif 000011